(57)【要約】      （修正有）【課題】  狭い店舗等であっても無線タグ用のリーダ／ライタを設置できると共に、当該店舗内の美観に与える悪影響を考慮することなく設置することが可能な情報処理装置を提供する。【解決手段】  送受信アンテナ１０と、当該送受信アンテナ１０を介した無線通信により無線タグとの間で情報の送受信を行うための送受信処理を実行する処理回路を含む信号処理部４と、が、その無線タグが取り付けられたショッピングカート等が移動する床２内に埋設されている。【選択図】  図１
2006085216.tif 000002
【特許請求の範囲】
【請求項１】
移動体に備えられ且つ無線通信による読み取りが可能に情報を記録する情報記録手段から前記情報の読み取りを前記無線通信により行う情報読取装置において、
前記移動体が移動する通路の面に設置された受信アンテナと、
前記受信アンテナを介した前記無線通信により前記情報記録手段から前記情報を読み取る読取手段と、
を備えることを特徴とする情報読取装置。
【請求項２】
請求項１に記載の情報読取装置において、
前記読取手段に対して電源電力を供給する電力供給手段を更に備えることを特徴とする情報読取装置。
【請求項３】
請求項１又は２に記載の情報読取装置において、
前記受信アンテナは、前記面に設置されたループアンテナであることを特徴とする情報読取装置。
【請求項４】
請求項１又は２に記載の情報読取装置において、
前記受信アンテナは、前記面に設置されたバー型アンテナであることを特徴とする情報読取装置。
【請求項５】
請求項１から４のいずれか一項に記載の情報読取装置において、
前記移動体は買物用カートであり、
前記面は、前記買物用カートが使用される店内に設けられた当該買物カート用の前記通路の床面であることを特徴とする情報読取装置。
【請求項６】
請求項５に記載の情報読取装置において、
前記受信アンテナが前記床面の表面に設置されていること特徴とする情報読取装置。
【請求項７】
請求項５に記載の情報読取装置において、
前記受信アンテナが、前記無線通信用の電波を透過する材料よりなる前記床面内に埋設されていることを特徴とする情報読取装置。
【請求項８】
請求項５に記載の情報読取装置において、
前記床面が前記無線通信用の電波を透過する材料により形成されていると共に、
前記受信アンテナが、当該床面の裏面に設置されていることを特徴とする情報読取装置。
【請求項９】
請求項１から４のいずれか一項に記載の情報読取装置において、
前記移動体は買物用カートであり、
前記面は、前記買物用カートが使用される店内に設けられた当該買物カート用の前記通路を構成する壁面であることを特徴とする情報読取装置。
【請求項１０】
請求項９に記載の情報読取装置において、
前記受信アンテナが前記壁面の表面に設置されていること特徴とする情報読取装置。
【請求項１１】
請求項９に記載の情報読取装置において、
前記受信アンテナが、前記無線通信用の電波を透過する材料よりなる前記壁面内に埋設されていることを特徴とする情報読取装置。
【請求項１２】
請求項９に記載の情報読取装置において、
前記壁面が前記無線通信用の電波を透過する材料により形成されていると共に、
前記受信アンテナが、当該壁面の裏面に設置されていることを特徴とする情報読取装置。
【請求項１３】
請求項１から１２のいずれか一項に記載の情報読取装置において、
前記情報記録手段は無線タグであることを特徴とする情報読取装置。
【請求項１４】
移動体に備えられ且つ無線通信による情報の書き込みが可能な情報記録手段に対して前記情報の書き込みを前記無線通信により行う情報書込装置において、
前記移動体が移動する通路の面に設置された送信アンテナと、
前記送信アンテナを介した前記無線通信により前記情報記録手段に対して前記情報を書き込む書込手段と、
を備えることを特徴とする情報書込装置。
【請求項１５】
請求項１４に記載の情報書込装置において、
前記書込手段に対して電源電力を供給する電力供給手段を更に備えることを特徴とする情報書込装置。
【請求項１６】
請求項１４又は１５に記載の情報書込装置において、
前記送信アンテナは、前記面に設置されたループアンテナであることを特徴とする情報書込装置。
【請求項１７】
請求項１４又は１５に記載の情報書込装置において、
前記送信アンテナは、前記面に設置されたバー型アンテナであることを特徴とする情報書込装置。
【請求項１８】
請求項１４から１７のいずれか一項に記載の情報書込装置において、
前記移動体は買物用カートであり、
前記面は、前記買物用カートが使用される店内に設けられた当該買物カート用の前記通路の床面であることを特徴とする情報書込装置。
【請求項１９】
請求項１８に記載の情報書込装置において、
前記送信アンテナが前記床面の表面に設置されていること特徴とする情報書込装置。
【請求項２０】
請求項１８に記載の情報書込装置において、
前記送信アンテナが、前記無線通信用の電波を透過する材料よりなる前記床面内に埋設されていることを特徴とする情報書込装置。
【請求項２１】
請求項１８に記載の情報書込装置において、
前記床面が前記無線通信用の電波を透過する材料により形成されていると共に、
前記送信アンテナが、当該床面の裏面に設置されていることを特徴とする情報書込装置。
【請求項２２】
請求項１４から１７のいずれか一項に記載の情報書込装置において、
前記移動体は買物用カートであり、
前記面は、前記買物用カートが使用される店内に設けられた当該買物カート用の前記通路を構成する壁面であることを特徴とする情報書込装置。
【請求項２３】
請求項２２に記載の情報書込装置において、
前記送信アンテナが前記壁面の表面に設置されていること特徴とする情報書込装置。
【請求項２４】
請求項２２に記載の情報書込装置において、
前記送信アンテナが、前記無線通信用の電波を透過する材料よりなる前記壁面内に埋設されていることを特徴とする情報書込装置。
【請求項２５】
請求項２２に記載の情報書込装置において、
前記壁面が前記無線通信用の電波を透過する材料により形成されていると共に、
前記送信アンテナが、当該壁面の裏面に設置されていることを特徴とする情報書込装置。
【請求項２６】
請求項１４から２５のいずれか一項に記載の情報書込装置において、
前記情報記録手段は無線タグであることを特徴とする情報書込装置。
【請求項２７】
請求項１から１３のいずれか一項に記載の情報読取装置と、
請求項１４から２６のいずれか一項に記載の情報書込装置と、
を備える情報処理装置であって、
前記受信アンテナと前記送信アンテナとが一体化し且つ前記面に設置された送受信兼用のアンテナを備えることを特徴とする情報処理装置。
【発明の詳細な説明】
【技術分野】
【０００１】
本発明は、情報読取装置及び情報書込装置並びに情報処理装置の技術分野に属し、より詳細には、無線通信により情報の授受を行う情報読取装置及び情報書込装置並びにこれらの装置を含む情報処理装置の技術分野に属する。
【背景技術】
【０００２】
近年、流通する商品個々に貼り付けられ、当該商品個々を識別するための情報を無線通信により送受信する、いわゆる無線タグに関する開発が盛んに行われている。
【０００３】
ここで一般に、無線タグは、無線通信により当該無線タグに情報を書き込む情報書込装置又は当該無線タグから無線通信により情報を読み取る情報読取装置と共に用いられることでその機能を発揮するものであり、最近では空港における手荷物の流通管理に対して応用するための実験も行われ始めている。
【０００４】
ここで、従来の無線タグを含むシステムにおける上記情報書込装置及び情報読取装置は、一般には、例えば店舗や空港の手荷物出入り口等に設けられているのが一般的であった。なお、当該情報書込装置又は情報読取装置を纏めて、以下リーダ／ライタと称する。
【０００５】
他方、近年では、例えば週末に次の週に使用する食材等を一週間分纏めて購入して貯蔵することも一般化しつつあり、そのような大掛かりな買物のためにはいわゆるショッピングカートを用いるのが通常である。
【０００６】
そこで、当該ショッピングカート自体にもそのショッピングカート自体を他のショッピングカートから識別するためのカート識別情報を記憶した無線タグを付し、そのショッピングカートの通過用に店舗内に設けられた通路内に設置されたリーダ／ライタと、当該無線タグと、の間で当該カート識別情報を無線により授受し、これに加えて、当該ショッピングカート内に入れられた商品に付されている無線タグからの情報を合わせて用いることで、例えば、種々の販売促進用の情報や店舗内の商品配置を変更する際の手掛かりとなる情報等を収集することができると考えられる。
【発明の開示】
【発明が解決しようとする課題】
【０００７】
しかしながら、従来の上記リーダ／ライタは大型で目立つ形状のものが多く、このようなリーダ／ライタを店舗内の通路に設置したのでは、特に店舗自体が小規模である場合はショッピングカートのための通路自体が狭くなると共に、商品配列上の美観を損ねてしまう場合があるという問題点があった。
【０００８】
そこで、本発明は上記の問題点に鑑みて為されたもので、その課題は、狭い店舗等であっても無線タグ用のリーダ／ライタを設置できると共に、当該店舗内の美観に与える悪影響を考慮することなく設置することが可能な情報読取装置及び情報書込装置並びにこれらの装置を含む情報処理装置を提供することにある。
【課題を解決するための手段】
【０００９】
上記の課題を解決するために、請求項１に記載の発明は、ショッピングカート等の移動体に備えられ且つ無線通信による読み取りが可能に情報を記録する無線タグ等の情報記録手段から前記情報の読み取りを前記無線通信により行う情報読取装置において、前記移動体が移動する通路の面に埋設された受信アンテナと、前記受信アンテナを介した前記無線通信により前記情報記録手段から前記情報を読み取る信号処理部等の読取手段とを備える。
【００１０】
よって、情報記録手段から無線通信により情報を受信する受信アンテナが通路の面に埋設されているので、当該受信アンテナがその通路を移動する移動体の当該移動を妨げることがなく、また当該通路の美観を損ねることもない。
【００１１】
上記の課題を解決するために、請求項２に記載の発明は、請求項１に記載の情報読取装置において、前記読取手段に対して電源電力を供給する電池等の電力供給手段を更に備える。
【００１２】
よって、電力供給手段を自ら備えているので、電力を集中供給するための大規模な電力供給設備を設ける必要がない。
【００１３】
上記の課題を解決するために、請求項３に記載の発明は、請求項１又は２に記載の情報読取装置において、前記受信アンテナは、前記面に埋設されたループアンテナであるように構成される。
【００１４】
よって、受信アンテナが通路の面内に埋設されたループアンテナであるので、低・中周波数帯域の情報を高感度で受信することができる。
【００１５】
上記の課題を解決するために、請求項４に記載の発明は、請求項１又は２に記載の情報読取装置において、前記受信アンテナは、前記面に埋設されたバー型アンテナであるように構成される。
【００１６】
よって、受信アンテナが通路の面内に埋設されたバー型アンテナであるので、高周波数帯域の情報を高感度で受信することができる。
【００１７】
上記の課題を解決するために、請求項５に記載の発明は、請求項１から４のいずれか一項に記載の情報読取装置において、前記移動体は買物用カートであり、前記面は、前記買物用カートが使用される店内に設けられた当該買物カート用の前記通路の床面であるように構成される。
【００１８】
よって、買物用カートが移動する店内の通路床面に受信アンテナが設置されているので、買物用カートの移動経路に応じて適切な位置に受信アンテナを配置することができる。
【００１９】
上記の課題を解決するために、請求項６に記載の発明は、請求項５に記載の情報読取装置において、前記受信アンテナが前記床面の表面に設置されている。
【００２０】
よって、買物用カートが移動する店内の通路床面の表面に受信アンテナが設置されているので、買物用カートの移動経路に応じて適切な位置に受信アンテナを配置することができる。
【００２１】
上記の課題を解決するために、請求項７に記載の発明は、請求項５に記載の情報読取装置において、前記受信アンテナが、前記無線通信用の電波を透過する材料よりなる前記床面内に埋設されている。
【００２２】
よって、買物用カートが移動する店内の通路床面内に受信アンテナが埋設されているので、買物用カートの移動経路に応じて適切な位置に受信アンテナを配置することができる。
【００２３】
上記の課題を解決するために、請求項８に記載の発明は、請求項５に記載の情報読取装置において、前記床面が前記無線通信用の電波を透過する材料により形成されていると共に、前記受信アンテナが、当該床面の裏面に設置されている。
【００２４】
よって、買物用カートが移動する店内の通路床面裏に受信アンテナが設置されているので、買物用カートの移動経路に応じて適切な位置に受信アンテナを配置することができる。
【００２５】
上記の課題を解決するために、請求項９に記載の発明は、請求項１から４のいずれか一項に記載の情報読取装置において、前記移動体は買物用カートであり、前記面は、前記買物用カートが使用される店内に設けられた当該買物カート用の前記通路を構成する壁面であるように構成される。
【００２６】
よって、買物用カートが移動する店内の通路壁面に受信アンテナが設置されているので、買物用カートの移動経路に応じて適切な位置に受信アンテナを配置することができる。
【００２７】
上記の課題を解決するために、請求項１０に記載の発明は、請求項９に記載の情報読取装置において、前記受信アンテナが前記壁面の表面に設置されている。
【００２８】
よって、買物用カートが移動する店内の通路壁面の表面に受信アンテナが設置されているので、買物用カートの移動経路に応じて適切な位置に受信アンテナを配置することができる。
【００２９】
上記の課題を解決するために、請求項１１に記載の発明は、請求項９に記載の情報読取装置において、前記受信アンテナが、前記無線通信用の電波を透過する材料よりなる前記壁面内に埋設されている。
【００３０】
よって、買物用カートが移動する店内の通路壁面内に受信アンテナが埋設されているので、買物用カートの移動経路に応じて適切な位置に受信アンテナを配置することができる。
【００３１】
上記の課題を解決するために、請求項１２に記載の発明は、請求項９に記載の情報読取装置において、前記壁面が前記無線通信用の電波を透過する材料により形成されていると共に、前記受信アンテナが、当該壁面の裏面に設置されている。
【００３２】
よって、買物用カートが移動する店内の通路壁面裏に受信アンテナが設置されているので、買物用カートの移動経路に応じて適切な位置に受信アンテナを配置することができる。
【００３３】
上記の課題を解決するために、請求項１３に記載の発明は、請求項１から１２のいずれか一項に記載の情報読取装置において、前記情報記録手段は無線タグであるように構成される。
【００３４】
よって、移動体に付されている無線タグからの情報を有効に受信することができる。
【００３５】
上記の課題を解決するために、請求項１４に記載の発明は、ショッピングカート等の移動体に備えられ且つ無線通信による情報の書き込みが可能な無線タグ等の情報記録手段に対して前記情報の書き込みを前記無線通信により行う情報書込装置において、前記移動体が移動する通路の面に設置された送信アンテナと、前記送信アンテナを介した前記無線通信により前記情報記録手段に対して前記情報を書き込む信号処理部等の書込手段と、を備える。
【００３６】
よって、情報書込手段から無線通信により情報の送信を行う送信アンテナが通路の面に設置されているので、当該送信アンテナがその通路を移動する移動体の当該移動を妨げることがなく、また当該通路の美観を損ねることもない。
【００３７】
上記の課題を解決するために、請求項１５に記載の発明は、請求項１４に記載の情報書込装置において、前記書込手段に対して電源電力を供給する電池等の電力供給手段を更に備える。
【００３８】
よって、電力供給手段を自ら備えているので、電力を集中供給するための大規模な電力供給設備を設ける必要がない。
【００３９】
上記の課題を解決するために、請求項１６に記載の発明は、請求項１４又は１５に記載の情報書込装置において、前記送信アンテナは、前記面に設置されたループアンテナであるように構成される。
【００４０】
よって、送信アンテナが通路の面内に設置されたループアンテナであるので、低・中周波数帯域の情報を高感度で送信することができる。
【００４１】
上記の課題を解決するために、請求項１７に記載の発明は、請求項１４又は１５に記載の情報書込装置において、前記送信アンテナは、前記面に設置されたバー型アンテナであるように構成される。
【００４２】
よって、送信アンテナが通路の面内に設置されたバー型アンテナであるので、高周波数帯域の情報を高感度で送信することができる。
【００４３】
上記の課題を解決するために、請求項１８に記載の発明は、請求項１４から１７のいずれか一項に記載の情報書込装置において、前記移動体は買物用カートであり、前記面は、前記買物用カートが使用される店内に設けられた当該買物カート用の前記通路の床面であるように構成される。
【００４４】
よって、買物用カートが移動する店内の通路床面に送信アンテナが設置されているので、買物用カートの移動経路に応じて適切な位置に送信アンテナを配置することができる。
【００４５】
上記の課題を解決するために、請求項１９に記載の発明は、請求項１８に記載の情報書込装置において、前記送信アンテナが前記床面の表面に設置されている。
【００４６】
よって、買物用カートが移動する店内の通路床面の表面に送信アンテナが設置されているので、買物用カートの移動経路に応じて適切な位置に送信アンテナを配置することができる。
【００４７】
上記の課題を解決するために、請求項２０に記載の発明は、請求項１８に記載の情報書込装置において、前記送信アンテナが、前記無線通信用の電波を透過する材料よりなる前記床面内に埋設されている。
【００４８】
よって、買物用カートが移動する店内の通路床面内に送信アンテナが埋設されているので、買物用カートの移動経路に応じて適切な位置に送信アンテナを配置することができる。
【００４９】
上記の課題を解決するために、請求項２１に記載の発明は、請求項１８に記載の情報書込装置において、前記床面が前記無線通信用の電波を透過する材料により形成されていると共に、前記送信アンテナが、当該床面の裏面に設置されている。
【００５０】
よって、買物用カートが移動する店内の通路床面裏に送信アンテナが設置されているので、買物用カートの移動経路に応じて適切な位置に受信アンテナを配置することができる。
【００５１】
上記の課題を解決するために、請求項２２に記載の発明は、請求項１４から１７のいずれか一項に記載の情報書込装置において、前記移動体は買物用カートであり、前記面は、前記買物用カートが使用される店内に設けられた当該買物カート用の前記通路を構成する壁面であるように構成されている。
【００５２】
よって、買物用カートが移動する店内の通路壁面に送信アンテナが設置されているので、買物用カートの移動経路に応じて適切な位置に送信アンテナを配置することができる。
【００５３】
上記の課題を解決するために、請求項２３に記載の発明は、請求項２２に記載の情報書込装置において、前記送信アンテナが前記壁面の表面に設置されている。
【００５４】
よって、買物用カートが移動する店内の通路壁面の表面に送信アンテナが設置されているので、買物用カートの移動経路に応じて適切な位置に送信受信アンテナを配置することができる。
【００５５】
上記の課題を解決するために、請求項２４に記載の発明は、請求項２２に記載の情報書込装置において、前記送信アンテナが、前記無線通信用の電波を透過する材料よりなる前記壁面内に埋設されている。
【００５６】
よって、買物用カートが移動する店内の通路壁面内に送信アンテナが埋設されているので、買物用カートの移動経路に応じて適切な位置に送信アンテナを配置することができる。
【００５７】
上記の課題を解決するために、請求項２５に記載の発明は、請求項２２に記載の情報書込装置において、前記壁面が前記無線通信用の電波を透過する材料により形成されていると共に、前記送信アンテナが、当該壁面の裏面に設置されている。
【００５８】
よって、買物用カートが移動する店内の通路壁面裏に送信アンテナが設置されているので、買物用カートの移動経路に応じて適切な位置に送信アンテナを配置することができる。
【００５９】
上記の課題を解決するために、請求項２６に記載の発明は、請求項１４から１５のいずれか一項に記載の情報書込装置において、前記情報記録手段は無線タグであるように構成される。
【００６０】
よって、移動体に付されている無線タグに対して情報を有効に送信することができる。
【００６１】
上記の課題を解決するために、請求項２７に記載の発明は、請求項１から１３のいずれか一項に記載の情報読取装置と、請求項１４から２６のいずれか一項に記載の情報書込装置と、を備える情報処理装置であって、前記受信アンテナと前記送信アンテナとが一体化し且つ前記面に設置された送受信兼用のアンテナを備える。
【００６２】
よって、一のアンテナにより情報の送受信を行うので、設置場所を節約しつつ有効に情報の送受信を行うことができる。
【発明の効果】
【００６３】
請求項１に記載の発明によれば、情報記録手段から無線通信により情報を受信する受信アンテナが通路の面に設置されているので、当該受信アンテナがその通路を移動する移動体の当該移動を妨げることがなく、また当該通路の美観を損ねることもない。
【００６４】
従って、通路が狭い場合でも、その美観を損ねることなく受信アンテナを設置できる。
【００６５】
請求項２に記載の発明によれば、請求項１に記載の発明の効果に加えて、電力供給手段を自ら備えているので、電力を集中供給するための大規模な電力供給設備を設ける必要がない。
【００６６】
請求項３に記載の発明によれば、請求項１又は２に記載の発明の効果に加えて、受信アンテナが通路の面内に設置されたループアンテナであるので、低・中周波数帯域の情報を高感度で受信することができる。
【００６７】
請求項４に記載の発明によれば、請求項１又は２に記載の発明の効果に加えて、受信アンテナが通路の面内に設置されたバー型アンテナであるので、高周波数帯域の情報を高感度で受信することができる。
【００６８】
請求項５に記載の発明によれば、請求項１から４のいずれか一項に記載の発明の効果に加えて、買物用カートが移動する店内の通路床面に受信アンテナが設置されているので、買物用カートの移動経路に応じて適切な位置に受信アンテナを配置することができる。
【００６９】
請求項６に記載の発明によれば、請求項５に記載の発明の効果に加えて、買物用カートが移動する店内の通路床面の表面に受信アンテナが設置されているので、買物用カートの移動経路に応じて適切な位置に受信アンテナを配置することができる。
【００７０】
請求項７に記載の発明によれば、請求項５に記載の発明の効果に加えて、買物用カートが移動する店内の通路床面内に受信アンテナが埋設されているので、買物用カートの移動経路に応じて適切な位置に受信アンテナを配置することができる。
【００７１】
請求項８に記載の発明によれば、請求項５に記載の発明の効果に加えて、買物用カートが移動する店内の通路床面裏に受信アンテナが設置されているので、買物用カートの移動経路に応じて適切な位置に受信アンテナを配置することができる。
【００７２】
請求項９に記載の発明によれば、請求項１から４のいずれか一項に記載の発明の効果に加えて、買物用カートが移動する店内の通路壁面に受信アンテナが設置されているので、買物用カートの移動経路に応じて適切な位置に受信アンテナを配置することができる。
【００７３】
請求項１０に記載の発明によれば、請求項９に記載の発明の効果に加えて、買物用カートが移動する店内の通路壁面の表面に受信アンテナが設置されているので、買物用カートの移動経路に応じて適切な位置に受信アンテナを配置することができる。
【００７４】
請求項１１に記載の発明によれば、請求項９に記載の発明の効果に加えて、買物用カートが移動する店内の通路壁面内に受信アンテナが埋設されているので、買物用カートの移動経路に応じて適切な位置に受信アンテナを配置することができる。
【００７５】
請求項１２に記載の発明によれば、請求項９に記載の発明の効果に加えて、買物用カートが移動する店内の通路壁面裏に受信アンテナが設置されているので、買物用カートの移動経路に応じて適切な位置に受信アンテナを配置することができる。
【００７６】
請求項１３に記載の発明によれば、請求項１から１２のいずれか一項に記載の発明の効果に加えて、移動体に付されている無線タグからの情報を有効に受信することができる。
【００７７】
請求項１４に記載の発明によれば、情報書込手段から無線通信により情報の送信を行う送信アンテナが通路の面に設置されているので、当該送信アンテナがその通路を移動する移動体の当該移動を妨げることがなく、また当該通路の美観を損ねることもない。
【００７８】
従って、通路が狭い場合でも、その美観を損ねることなく受信アンテナを設置できる。
【００７９】
請求項１５に記載の発明によれば、請求項１４に記載の発明の効果に加えて、電力供給手段を自ら備えているので、電力を集中供給するための大規模な電力供給設備を設ける必要がない。
【００８０】
請求項１６に記載の発明によれば、請求項１４又は１５に記載の発明の効果に加えて、送信アンテナが通路の面内に設置されたループアンテナであるので、低・中周波数帯域の情報を高感度で送信することができる。
【００８１】
請求項１７に記載の発明によれば、請求項１４又は１５に記載の発明の効果に加えて、送信アンテナが通路の面内に設置されたバー型アンテナであるので、高周波数帯域の情報を高感度で送信することができる。
【００８２】
請求項１８に記載の発明によれば、請求項１４から１７のいずれか一項に記載の発明の効果に加えて、買物用カートが移動する店内の通路床面に送信アンテナが設置されているので、買物用カートの移動経路に応じて適切な位置に送信アンテナを配置することができる。
【００８３】
請求項１９に記載の発明によれば、請求項１８に記載の発明の効果に加えて、買物用カートが移動する店内の通路床面の表面に送信アンテナが設置されているので、買物用カートの移動経路に応じて適切な位置に送信アンテナを配置することができる。
【００８４】
請求項２０に記載の発明によれば、請求項１８に記載の発明の効果に加えて、買物用カートが移動する店内の通路床面内に送信アンテナが埋設されているので、買物用カートの移動経路に応じて適切な位置に送信アンテナを配置することができる。
【００８５】
請求項２１に記載の発明によれば、請求項１８に記載の発明の効果に加えて、買物用カートが移動する店内の通路床面裏に送信アンテナが設置されているので、買物用カートの移動経路に応じて適切な位置に受信アンテナを配置することができる。
【００８６】
請求項２２に記載の発明によれば、請求項１４から１７のいずれか一項に記載の発明の効果に加えて、買物用カートが移動する店内の通路壁面に送信アンテナが設置されているので、買物用カートの移動経路に応じて適切な位置に送信アンテナを配置することができる。
【００８７】
請求項２３に記載の発明によれば、請求項２２に記載の発明の効果に加えて、買物用カートが移動する店内の通路壁面の表面に送信アンテナが設置されているので、買物用カートの移動経路に応じて適切な位置に送信受信アンテナを配置することができる。
【００８８】
請求項２４に記載の発明によれば、請求項２２に記載の発明の効果に加えて、買物用カートが移動する店内の通路壁面内に送信アンテナが埋設されているので、買物用カートの移動経路に応じて適切な位置に送信アンテナを配置することができる。
【００８９】
請求項２５に記載の発明によれば、請求項２２に記載の発明の効果に加えて、買物用カートが移動する店内の通路壁面裏に送信アンテナが設置されているので、買物用カートの移動経路に応じて適切な位置に送信アンテナを配置することができる。
【００９０】
請求項２６に記載の発明によれば、請求項１４から２５のいずれか一項に記載の発明の効果に加えて、移動体に付されている無線タグに対して情報を有効に送信することができる。
【００９１】
請求項２７に記載の発明によれば、一のアンテナにより情報の送受信を行うので、設置場所を節約しつつ有効に情報の送受信を行うことができる。
【発明を実施するための最良の形態】
【００９２】
次に、本発明を実施するための最良の形態について、図面に基づいて説明する。なお、以下に説明する実施形態は、移動体としてのショッピングカートが用いられる店舗内に無線タグ用のリーダ／ライタを設ける場合について本発明を適用した場合の実施の形態である。
【００９３】
（Ｉ）実施形態
始めに、本発明に係る実施形態について、図１乃至図２を用いて説明する。
【００９４】
なお、図１は実施形態に係る情報処理装置の概要構成を示すブロック図であり、図２は当該情報処理装置の細部構成を示すブロック図である。
【００９５】
図１に示すように、実施形態に係る情報処理装置１は、全体として、図１（ａ）に示すように例えばスーパーマーケット等の店舗の床２内に埋設されているものであり、具体的には、図１（ｂ）に示すように、床基材２Ｂに埋設されたループアンテナ１０と、当該ループアンテナ１０が接続されており且つ床２内に埋設されている信号処理部４と、により構成されている。このとき、ループアンテナ１０が埋め込まれた床基材２Ｂの表面は、ループアンテナ１０が埋設されている位置に接近した買物用カートとしてのショッピングカートＣの例えば車輪部Ｔの近辺下部に取り付けられている無線タグ１００とループアンテナ１０との間で無線通信による情報の授受が可能となるように、例えばコンクリート等の当該無線通信に用いられる電波に対して透過性を有する表面保護材２Ａで覆われている。この表面保護材２Ａは、床２自体の保護材であると共にループアンテナ１０の保護材としての機能を有している。
【００９６】
一方、信号処理部４内には、後述するように、当該ループアンテナ１０を介して無線タグ１００との間で情報の授受を行うための処理を行う処理回路が内蔵されており、当該処理回路は床２内を貫通する接続線１１及び１２を介して、後述する中央処理装置２５との間で情報の授受を行うように構成されている。
【００９７】
これに加えて、当該処理回路に対する電力供給のための電力線１３が、上記接続線１１及び１２と共に床２内を貫通して信号処理部４に接続されている。
【００９８】
次に、上記信号処理部４の細部構成について、図２（ａ）を用いて説明する。
【００９９】
図２（ａ）に示すように、信号処理部４内には、上述した処理回路として、ＲＦ（Rapid Frequency）入出力部２０と、読取手段及び書込手段としての信号処理部２１と、が備えられている。
【０１００】
この構成において、ＲＦ入出力部２０には、ループアンテナ１０の二つの末端部が接続されている。そして、ループアンテナ１０の埋設位置に近づいて来た無線タグ１００からの情報を受信するときは、無線タグ１００から送信された電磁波によりループアンテナ１０に誘起された電気信号がＲＦ入出力部２０に入力され、当該電気信号に対応する受信信号ＳrrがＲＦ入出力部２０において生成されて信号処理部２１に出力される。
【０１０１】
これにより、信号処理部２１は、当該受信信号Ｓrrに対して予め設定された復調処理を施して読取信号Ｓreadを生成し、上記接続線１１を介して中央処理部２５へ出力する。
【０１０２】
一方、当該近づいて来た無線タグ１００に対して情報を書き込むときは、当該書き込まれるべき情報に対応する書込信号Ｓwrtが中央処理装置２５から接続線１２を介して信号処理部２１に送信される。
【０１０３】
そして、当該信号処理部２１は書込信号Ｓwrtに対して予め設定されている変調処理を施し、送信信号ＳrwとしてＲＦ入出力部２０へ出力する。
【０１０４】
これにより、ＲＦ入出力部２０は、当該送信信号Ｓrwをループアンテナ１０に出力し、無線タグ１００に向けて放射させる。
【０１０５】
なお、上述した一連の送受信処理において、信号処理部２１及びＲＦ入出力部２０の動作に必要な電力は、電力信号Ｓpwとして上記電力線１３を介して中央処理装置２５から送信される。
【０１０６】
次に、上記中央処理装置２５並びに情報処理装置１を含む情報処理システム全体の構成について、図２（ｂ）を用いて説明する。
【０１０７】
図２（ｂ）に示すように、実施形態に係る情報処理システムＳは、複数の情報処理装置１内に夫々含まれている信号処理部４と、当該信号処理部４に対して接続線１１及び１２並びに電力線１３を介して夫々別個に接続されている上記中央処理装置２５と、により構成されている。
【０１０８】
このとき、中央処理装置２５は、具体的には、情報処理システムＳが設けられた店舗の外部に設けられたアンテナ３０と、無線インターフェース部２９と、処理部２８と、上記接続線１１及び１２接続されたインターフェース部２７と、上記電力線１３に接続された電力供給部２６と、により構成されている。
【０１０９】
この構成において、各信号処理部４に接続された電力線１３を介して電力信号Ｓpwを送信することにより、当該信号処理部４に対して必要な電源電力を供給している。
【０１１０】
また、無線タグ１００から送信された情報をいずれかの情報処理装置１において受信する場合、各読取信号Ｓreadはインターフェース部２７に出力される。
【０１１１】
そして、当該インターフェース部２７は、各信号処理部４からの読取信号Ｓreadを分別し、夫々の読取信号Ｓreadに対応するインターフェース信号Ｓifを生成して処理部２８に出力する。
【０１１２】
これにより、処理部２８は、各読取信号Ｓread毎に対応するインターフェース信号Ｓifを処理し、処理信号Ｓpbとして無線インターフェース部２９に出力する。
【０１１３】
そして、無線インターフェース部２９は、当該処理信号Ｓpbに対して予め設定されている変調処理を施し、外部送受信信号Ｓantとしてアンテナ３０を介して図示しない外部のサーバ装置等に対して送信する。
【０１１４】
一方、当該サーバ装置から無線通信により送信されて来た、各無線タグ１００に対して書き込むべき情報は、アンテナ３０において受信され、外部送受信信号Ｓantとして無線インターフェース部２９へ出力される。
【０１１５】
そして、無線インターフェース部２９は、当該外部送受信信号Ｓantに対して予め設定されている復調処理を施し、処理信号Ｓpbとして処理部２８へ出力する。
【０１１６】
これにより、処理部２８は、当該処理信号Ｓpbに対し、それが送信されるべき無線タグ１００に対して送信するためのインターフェース処理を施し、インターフェース信号Ｓifとしてインターフェース部２７へ出力する。
【０１１７】
そして、インターフェース部２７は、当該インターフェース信号Ｓifを分別し、上記書込信号Ｓwrtとして対応する信号処理部４へ出力する。これにより、当該書込信号Ｓwrtが対応する無線タグ１００に書き込まれる。
【０１１８】
上述した情報処理システムＳの動作によれば、例えばショッピングカートＣ自体を識別するためのカート識別情報を対応するショッピングカートＣに取り付けられている無線タグ１００に書き込んでおき、情報処理装置１を介してそれを読み出して外部のサーバに送信することにより、当該カート識別情報により識別されるショッピングカートＣを移動させている使用者（この場合は買物客）に適応した広告情報をそのショッピングカートＣに設けられている図示しないディスプレイ等に表示することで、その使用者に相応しい広告情報をよりタイムリーにその使用者に届ける等の情報提供サービスが可能となる。
【０１１９】
以上説明したように、実施形態に係る情報処理装置１の動作によれば、床２内にループアンテナ１０及び信号処理部４が埋設されていると共に、そのループアンテナ１０を用いた情報の送受信処理を行う処理回路が当該信号処理部４に含まれているので、ループアンテナ１０が通路を移動するショッピングカートＣの移動を妨げることがなく、また当該通路の美観を損ねることもない。
【０１２０】
また、床２内に埋設されたループアンテナ１０により情報の送受信を行うので、広い周波数帯域の情報を高感度で受信することができる。
【０１２１】
更に、通路の床２内にループアンテナ１０が埋設されているので、ショッピングカートＣの移動経路に応じて適切な位置にループアンテナ１０を配置することができる。
【０１２２】
また、床２内に埋設された一つのループアンテナ１０により無線タグ１００との間で情報の送受信を行うので、埋設場所を節約しつつ有効に情報の送受信を行うことができる。
【０１２３】
（II）変形形態
なお、上述した実施形態は下記の如く変形可能である。
【０１２４】
すなわち、第一の変形形態として、図３に示す情報処理装置１Ａの如く、実施形態に係るループアンテナ１０に代えて床２内にバー型アンテナ４０及び４１を埋設し、その端部を信号処理部４内のＲＦ入出力部２０に接続してもよい。
【０１２５】
この場合は、埋設されたバー型アンテナ４０及び４１を用いて情報の送受信を行うので、特定の周波数帯域の情報を高感度で受信することができることになる。
【０１２６】
ここで、無線タグ１００との間の無線通信に、いわゆる電磁誘導方式（使用される周波数としては、例えば１３．５６メガヘルツ以下）を用いる場合は上述した実施形態に係るループアンテナ１０を用い、一方、いわゆる電波方式（使用される周波数としては、例えば８００乃至９００メガヘルツ又は２．４５ギガヘルツ以上）を用いる場合は第一の変形形態に係るバー型アンテナ４０及び４１を用いることが可能である。
【０１２７】
更に、第二の変形形態として、各信号処理部４内に夫々電力供給手段としての電池等を設け、各情報処理装置１毎に独立して電源電力の供給を行ってもよい。
【０１２８】
この場合は、各情報処理装置１毎に独自の電源電力供給装置を備えているので、電力を集中供給するための大規模な電力供給設備を設ける必要がないことになる。
【０１２９】
更に、第三の変形形態として、ループアンテナ１０又はバー型アンテナ４０及び４１の接地位置は、実施形態又は第一の変形形態のごとく床２内に埋設するだけでなく、例えば、ショッピングカートＣが移動する通路の壁面下端部に設けても良い。この場合でも、上述した実施形態並びに第一及び第二の変形形態と同様の効果を奏することができる。
【０１３０】
更にまた、ループアンテナ１０又はバー型アンテナ４０及び４１の接地位置は、床２内又は上記壁面下端部に埋設するだけでなく、例えば床２又は壁の表面に保護材付きで設置しても良いし、表面保護材２Ａ（又は壁における表面保護材）内部に埋め込んでも良い。更には、床２全体又は壁全体を上記無線通信に用いられる電波に対して透過性を有する材料にて形成した上で、当該床２又は壁の裏側に設置しても良い。
【０１３１】
また、本発明の応用として、例えば実施形態に係る情報処理装置１を、店舗内のショッピングカートＣが移動することが予想される通路に沿って複数並べて埋設し、一つのショッピングカートＣ上の無線タグ１００からのカート識別情報を、そのショッピングカートＣの移動に伴って並べられた情報処理装置１により順次受信していくことで、一つのショッピングカートＣについての移動経路を追跡してこれを記録しておくこともできる。この場合には、当該店舗内のショッピングカートＣの移動態様（移動方向又は移動速度等）が把握できることから、例えば当該店舗内の陳列変更等の際における顧客購買情報としてこれらの移動態様を示す情報を活用することができる。
【産業上の利用可能性】
【０１３２】
以上夫々説明したように、本発明は無線タグとの間の無線通信による情報の授受の分野に利用することが可能であり、特に無線タグに対する情報の授受を行う送受信装置を店舗内に配置する場合に適用すれば特に顕著な効果が得られる。
【図面の簡単な説明】
【０１３３】
【図１】実施形態の情報処理装置の概要構成を示すブロック図であり、（ａ）は当該情報処理装置が埋設されている床をその床の上から見た平面透視図であり、（ｂ）は（ａ）に示すＡ−Ａ’断面図とショッピングカートとの位置関係を例示する図である。
【図２】実施形態の情報処理装置の構成を示す図であり、（ａ）は実施形態に係る信号処理部の構成を示すブロック図であり、（ｂ）は実施形態に係る情報処理装置を含む情報処理システムの概要構成を示すブロック図である。
【図３】第一の変形形態の情報処理装置の概要構成を示すブロック図である。
【符号の説明】
【０１３４】
１、１Ａ    情報処理装置
２    床
２Ａ    表面保護財
２Ｂ    床基材
４    信号処理部
１０    ループアンテナ
１１、１２    接続線
１３    電力線
２０    ＲＦ入出力部
２１    信号処理部
２５    中央処理装置
２６    電力供給部
２７    インターフェース部
２８    処理部
２９    無線インターフェース部
３０    アンテナ
４０、４１    バー型アンテナ
１００    無線タグ
Ｓ    情報処理システム
Ｃ    ショッピングカート
Ｔ    車輪部
【図１】
2006085216.tif 000003
【図２】
2006085216.tif 000004
【図３】
2006085216.tif 000005